(57)【要約】【課題】  ホールソーのような穿孔用工具を用いたドア破りを有効に防止することができる開口部装置を提供する。【解決手段】  建物の壁部に形成された開口部に取り付けられる枠体と、枠体に開閉自在に取り付けられたドア１とが設けられている。ドア１は、一対の対向する表面材２と、これらの表面材２の間に形成された空間の周囲を取り囲むドア枠３と、空間内に配置された芯材５と、空間内に芯材５に支持されて分散配置された複数の補強材１０と、ドアを施錠する施錠部７とを備えている。補強材１０は、施錠部７から所定距離以内の範囲において、互いに隣接する補強材１０どうしの間隔が１００ｍｍ以下となるように配置されている。【選択図】      図１
2005146516.tif 000002
【特許請求の範囲】
【請求項１】
建物の壁部に形成された開口部に取り付けられる枠体と、前記枠体に開閉自在に取り付けられたドアとを備え、
前記ドアは、一対の対向する表面材と、これらの表面材の間に形成された空間の周囲を取り囲むドア枠と、前記空間内に配置された芯材と、前記空間内に前記芯材に支持されて分散配置された複数の補強材と、前記ドアを施錠する施錠部とを備え、
前記補強材は、前記施錠部から所定距離以内の範囲において、互いに隣接する補強材どうしの間隔が１００ｍｍ以下となるように配置されていることを特徴とする開口部装置。
【請求項２】
前記補強材は、前記芯材に形成された溝に保持されていることを特徴とする請求項１に記載の開口部装置。
【請求項３】
前記芯材は複数が並置され、前記補強材は前記複数の芯材によって挟持されていることを特徴とする請求項１に記載の開口部装置。
【請求項４】
前記芯材は複数の芯材ブロックからなり、前記補強材は前記芯材ブロック内に配置されていることを特徴とする請求項１に記載の開口部装置。
【発明の詳細な説明】
【技術分野】
【０００１】
本発明は、開口部装置に係り、特に防犯性を要求される用途に好適な開口部装置に関する。
【背景技術】
【０００２】
従来、住宅の玄関やオフィス等の入り口のドアのような防犯性が要求される開口部装置においては、ドア自体が容易に破られない構造が要求される。このようなドアは、少なくとも施錠部の近傍にはガラスや樹脂製の障子のような脆弱部を設けることをせず、例えば、化粧鋼板等の金属製の一対の表面材およびドア枠とで一体に構成している。これら表面材およびドア枠によって囲まれる内部空間には、防音、保温、防振等のために、適当な芯材や補強材を配置している。
【０００３】
図１０は、表面材２０を有するドア２１の内部空間に、ロックウール（人造鉱物繊維）、硬質ウレタン等からなる芯材２２を充填し、さらに鋼板２３を挿入して補強した構成を示している。同図において、（ａ）は一方の表面材２０の裏面に鋼板２３を貼付した構造、（ｂ）は芯材２２の内部に鋼板２３を挟み込んだ構造を示している。また、図１１は、内部に部分的に所定の断面形状を有する鋼板等からなる力骨２４ａ，２４ｂを挿入して補強する構造を示している。これらは、いずれも力骨２４ａ，２４ｂの１つの面を表面材２０の裏面に接着剤や両面テープで貼付することにより取り付けられている。同図において（ａ）は、断面がコ字状の力骨２４ａの両側片部２５を貼付する構造であり、（ｂ）は断面がコ字状の力骨２４ｂの両側片にフランジ部２６を形成し、フランジ部２６と底辺部２７とを表面材２０に貼付する構造である。
【発明の開示】
【発明が解決しようとする課題】
【０００４】
ところで、近年、図１２に示すような、電気ドリル２８に円周状の歯２９を有するホールソー３０を取り付けて、ドア２１の施錠部の近傍に人間の手が入る程度（直径１００ｍｍくらい）の穴を穿ち、その穴から手を入れてサムターンや解錠ボタンを操作し、内側から解錠することによってドア２１を破る手口が頻発している。
【０００５】
このような手口に対しては、図１０に示す鋼材２３のような補強材では、表面材２０と同様にホールソー３０によって穿孔されてしまうので防止効果が薄い。また、図１１に示すような力骨２４ａ，２４ｂは、ドア２１の全体を補強するための構造であり、相互にかなりの間隔で配置されているため、その間の領域がホールソー３０によって穿孔されると防止効果を奏することができない。
【０００６】
本発明は、前記事情に鑑みて為されたもので、ホールソーのような穿孔用工具を用いたドア破りを有効に防止することができる開口部装置を提供することを目的とする。
【課題を解決するための手段】
【０００７】
前記目的を達成するために、請求項１に記載の開口部装置は、建物の壁部に形成された開口部に取り付けられる枠体と、前記枠体に開閉自在に取り付けられたドアとを備え、前記ドアは、一対の対向する表面材と、これらの表面材の間に形成された空間の周囲を取り囲むドア枠と、前記空間内に配置された芯材と、前記空間内に前記芯材に支持されて分散配置された複数の補強材と、前記ドアを施錠する施錠部とを備え、前記補強材は、前記施錠部から所定距離以内の範囲において、互いに隣接する補強材どうしの間隔が１００ｍｍ以下となるように配置されていることを特徴とする。
【０００８】
請求項１に記載の発明においては、ドアの施錠部から所定距離以内の範囲において、互いに隣接する補強材どうしの間隔が１００ｍｍ以下となるように密に配置されているので、直径が１００ｍｍを超える大きさのホールソーによってドアを穿孔する場合には、いずれかの補強材がホールソーと係合し、その回転を妨げる。したがって、ドアの施錠部に人間の腕が届くような所定距離内の領域において、手を入れることができるような穴を上記のような工具を用いてドアに開けることが困難となる。補強材は芯材によって支持されており、容易に移動しないので、工具の回転を阻止する作用が大きい。
【０００９】
施錠部から所定距離以内の範囲は、施錠部近傍の補強材を密に配置する領域であり、広いほうがより安全であり、好ましくは施錠部から７００ｍｍ以下の距離の範囲とする。また、補強材どうしの間隔は、より小さい方が安全であり、好ましくは８０ｍｍ以下となるように配置する。補強材は、穿孔を妨げるという観点から、工具の歯に係合しやすく、しかも容易に破断・移動しない形状・寸法が好ましく、ワイヤや帯状のような形状が好適であるが、これに限られるものではない。補強材の素材としては、工具によって容易に破断しない強度、靱性が必要であり、通常は金属が好適であるが、セラミックスその他の適宜の素材を採用することができる。
【００１０】
芯材は、防音、保温、防振等の機能を持つ素材から作製され、例えば、内部に穴や細孔を含むような形状・構造となっている。例えば、ロックウール（人造鉱物繊維）をバインダまたは外被を用いて成形したもの、紙、樹脂、金属等の素材製の小径のロールを集合させたロールコア、あるいはこれらの素材をハニカム状に成形したもの、硬質ウレタン等の発泡製あるいは非発泡性の樹脂を成形したもの等が好適である。
【００１１】
請求項２に記載の開口部装置は、請求項１に記載の発明において、前記補強材は、前記芯材に形成された溝に保持されていることを特徴とする。溝は、補強材の寸法・形状に適合する断面とすることが望ましい。
【００１２】
請求項３に記載の開口部装置は、請求項１に記載の発明において、前記芯材は複数が並置され、前記補強材は前記複数の芯材によって挟持されていることを特徴とする。通常は芯材の側面が平面であるので、補強材の側面も平面状とするが、芯材の側面に適宜の溝を形成するとともに、補強材の形状をこれに適合させることより支持強度を高めることができる。
【００１３】
請求項４に記載の開口部装置は、請求項１に記載の発明において、前記芯材は複数の芯材ブロックからなり、前記補強材は前記芯材ブロック内に配置されていることを特徴とする。芯材ブロックがハニカム構造を有する構成とし、補強材がハニカム構造を保持する部材を兼ねるようにしてもよい。
【００１４】
請求項４に記載の発明においては、芯材が複数の芯材ブロックからなり、補強材が芯材ブロック内に配置されているので、領域ごとに補強材の密度の分布を変えて必要な箇所にのみ補強材を配することが可能になる。
【発明の効果】
【００１５】
請求項１に記載の開口部装置によれば、ホールソーの穿孔用工具によってドアを穿孔する場合に、いずれかの補強材がホールソーと係合し、その回転を妨げるので、ドア破りを有効に防止することができる。補強材は芯材によって安定に保持されているので、ホールソー等の穿孔用工具の回転を阻止する能力が高い。
【００１６】
請求項２に記載の開口部装置によれば、補強材が芯材に形成された溝に保持されており、簡単な構成であっても、穿孔用工具の回転を阻止する能力が高い。
【００１７】
請求項３に記載の開口部装置によれば、補強材は複数の芯材によって挟持され、強固に固定されているので、穿孔用工具の回転を阻止する能力が高い。
【００１８】
請求項４に記載の開口部装置によれば、領域ごとに補強材の密度の分布を変えて必要な箇所にのみ補強材を配することが可能である。
【発明を実施するための最良の形態】
【００１９】
以下、図面を参照してこの発明の実施の形態を説明する。
図１は、この発明の第１の実施の形態に係る開口部装置に用いられるドアの構造を示す分解斜視図である。
このドア１は、一対の対向する表面材２，２と、これらの表面材２，２の間の空間の縁部に配置されたドア枠３とを備えており、いずれも金属等の充分な強度を有する素材から形成されている。すなわち、表面材２，２は外表面に装飾を施した鋼板（化粧鋼板）などであり、ドア枠３は、鋼材やアルミニウム材が用いられる。
【００２０】
表面材２，２とドア枠３は接着剤やねじ、ボルトのような固定用部材等によって互いに固定されて、内部に密閉された空間を形成している。この空間のほぼ全体を充填するように、すなわち、空間の幅、長さ、高さとほぼ同一の寸法を有する芯材５が配置されている。また、空間の所定箇所には、ドア１の開き側（ヒンジと反対側）の中央部に、開閉用ノブを含むノブ取付部６と、錠前を含む施錠部７とが配置され、ドア１の上部に、ドア１の開閉の際の衝撃を緩和するドアクローザを取り付けるドアクローザ取付部８が配置されている。ノブ取付部６、施錠部７およびドアクローザ取付部８を取り付ける箇所の芯材５はそれぞれ切り欠かれている。
【００２１】
芯材５は、防音、保温、防振等の機能を持つ素材から作製され、例えば、内部に穴や細孔を含むような形状・構造となっている。例えば、ロックウール（人造鉱物繊維）をバインダまたは外被を用いて成形したもの、紙、樹脂、金属等の素材製の小径のロールを集合させたロールコア、あるいはこれらの素材をハニカム状に成形したもの、硬質ウレタン等の発泡製あるいは非発泡性の樹脂を成形したもの等が挙げられる。
【００２２】
この例では、図２に拡大して示すように、芯材５の一方の表面に縦横に溝９ａ，９ｂが形成されている。この溝９ａ，９ｂ同士の間隔は、図３（ａ）に模式的に示すように、領域によって異なっている。すなわち、縦溝９ａの間隔は全面において４０ｍｍであるが、横溝９ｂの間隔は、施錠部７を中心とするドア１の上下方向中央の部分が４０ｍｍ、上下の部分が７５ｍｍとなっている。上下左右の端部の溝９ａ，９ｂの位置は、いずれも芯材５の端部から４０ｍｍである。そして、これらの縦横の溝９ａ，９ｂには、直径２．６ｍｍの鉄線（補強材）１０を溝９ａ，９ｂの形状に適合するように縦横に配して互いに接合した金網が配置されている。溝９ａ，９ｂの径は補強材１０の外径とほぼ同じにして補強材１０の保持効果を高めている。溝９ａ，９ｂの深さは、これに収容された補強材１０が表面から突出しない深さになっており、これらを接合してドア１を構成した後に表面材２，２が変形したり接着痕が付くことを防止している。
【００２３】
このように構成された開口部装置においては、ドア１の内部の空間に、補強材１０が密度高く分散配置されている。すなわち、縦方向の補強材１０はドア１の全域において４０ｍｍ間隔で配置され、横方向の補強材１０は、施錠部７の近傍で４０ｍｍ、それ以外の領域でも７５ｍｍ間隔で配置されている。したがって、例えば、侵入者の手が入る大きさの穴を開けるために、直径が１００ｍｍのホールソー３０を用いてドア１を穿孔しようとする場合、表側の表面材２，２が穿孔された後、ホールソー３０の円周歯２９が裏側の表面材２，２に達する前に、縦横それぞれの方向においていずれかの補強材１０が円周歯２９に接触し、さらには係合する。施錠部７近傍では少なくとも４本、それ以外の領域では少なくとも３本が係合する。ホールソー３０は、平面を切り込むことは容易であるが、歯の間に入って引っ掛かるような障害物や凹凸があると切断の続行が妨げられたり歯が破損したりする。したがって、穿孔作業を遅延させたり、続行不能にすることができ、ドア破りによる犯罪の被害を未然に防止することができる。
【００２４】
ここにおいて、施錠部７の近傍においては他の箇所より密度が高いので、施錠部７の近傍への穿孔はより困難になっている。このような高密度の領域は、人間が穿孔した穴から腕を差し込んで施錠部７のサムターン等を操作できる範囲にすることが望ましく、例えば、施錠部７を中心とする半径５００ｍｍの領域、より好ましくは、半径７００ｍｍの領域である。また、補強材１０どうしの間隔は、人間の手（および腕）が入る大きさの穴の穿孔を阻止するためであるので、１００ｍｍ以下、より好ましくは８０ｍｍ以下に設定する。
【００２５】
上記の実施の形態においては、縦横の溝９ａ，９ｂに補強材１０が保持されているので、穿孔時にホールソー３０の円周歯２９と係合した時に移動しにくく、ホールソー３０の回転を阻止する機能が高い。また、縦横の補強材１０が接合されて互いを支持しているので、同様にホールソー３０の回転を阻止する機能が向上している。もちろん、縦横の補強材１０を互いに接合せずに配置しても、充分な回転阻止作用を得ることができる。
【００２６】
図４および図５は、この発明の第２の実施の形態を示すもので、図１の構成を簡略化したものである。すなわち、この実施の形態では、芯材５に縦方向の溝９ａのみを形成し、縦方向の補強材１０のみを配置している。この実施の形態においても、ドア１の全領域において、縦方向の補強材１０どうしの間隔が４０ｍｍに設定されている。これにより、任意の領域においてホールソー３０により直径４０ｍｍ以上の穴を穿孔する場合には、少なくとも１本の補強材１０が円周歯２９に係合してその回転を阻止するようになっている。人間の手が入る程度の大きさの径１００ｍｍの穴の穿孔を阻止する場合には、少なくとも２本の補強材１０が係合する。
【００２７】
この実施の形態では、補強材１０の配置をドア１の全面において同じ間隔としたが、図３（ｂ）に示すように、領域によって変化させてもよい。すなわち、縦方向の補強材１０を、ドア１の全面においては８０ｍｍ間隔に配置し、施錠部７の近傍においては、さらに上下方向所定長さの短い補強材１０ａを間に配置する。これにより、この領域では補強材１０の間隔が４０ｍｍとなり、穿孔を阻止する作用が向上する。
【００２８】
図６および図７は、この発明の第３の実施の形態を示すもので、ドア１の空間には、所定の大きさの芯材ブロック（芯材）５ａが並べられて芯材が構成されている。この芯材ブロック５ａは、図７に示すように、厚紙を部分的に接着させながら多層に配置した多層板１１を、この層を離間させる方向に展開させることによって中空孔を有するハニカム状に形成されている。このハニカム状の芯材ブロック５ａには長手方向に延びる棒鋼（補強材）１２が、図示例ではそれぞれ３本挿通している。この棒鋼１２の端部は、それぞれ芯材ブロック５ａの長手方向端部に取り付けられた一対の端板１３，１３に固定されている。この端板１３，１３を金属製等の高強度部材とすれば、これ自体も補強材となるが、その必要が無い場合には、芯材５と同じ厚紙等で構成することができる。
【００２９】
この芯材ブロック５ａは、一方の端板１３の穴１３ａに補強材１２の一端を固定し、これを展開前の多層板１１に形成した穴１１ａにそれぞれ挿通し、端板１３と多層板１１の端面を接着した後に、多層板１１の他端を引っ張って展開させ、多層板１１の他端面と補強材１２の他端をそれぞれ他方の端板１３に固定することによって作製される。これにより、ハニカム構造の作製の工程と補強材１２の組み付け工程を一体として、製造工程を簡略化することができる。
【００３０】
このような構成の開口部装置において、ホールソー３０による穿孔を防止する作用は、先の実施の形態と基本的に同じであるので、説明を省く。補強材１２どうしの間隔は、先の実施の形態と同様の考え方で設定される。つまり、施錠部７を中心とする半径５００ｍｍの領域、より好ましくは、半径７００ｍｍの領域において、人間の手および腕が入る大きさの穴の穿孔を阻止するために、１００ｍｍ以下、より好ましくは８０ｍｍ以下に設定する。
【００３１】
すべての芯材ブロック５ａを補強材１２を有するものとする必要は無く、必要と判断される箇所のみに補強材１２が取り付けられた芯材ブロック５ａを配置し、他の箇所には、補強材１２の無い芯材ブロック５ａや、補強材１２の間隔を広く設定した芯材ブロック５ａを配置すればよい。これにより、ドア１の必要な箇所に剛性の高い補強材１２を配置しつつ、全体として軽量化を図ることができる。この実施の形態では、芯材が芯材ブロック構造であるので、異なるタイプの芯材ブロック５ａを組み合わせることにより、領域ごとの設定の選択や変更が容易に行える。もちろん、芯材ブロック５ａ、補強材１２の素材、形状、構成等は、適宜に選択することができる。
【００３２】
図８および図９は、この発明の第４の実施の形態を示すもので、ドア１の空間には、角柱状の芯材５ｂと、帯状鋼板（補強材）１４とが交互に配置され、帯状鋼板（補強材）１４は芯材５ｂによって挟持されている。この実施の形態では、ドア１の上下方向を長手方向として並べられている。補強材１４の幅と芯材５ｂの厚さはほぼ同じとし、それぞれ表面材２，２と接着剤等を用いて表面材２に固定するのが好ましい。補強材１４と芯材５ｂの接合面にも適宜に接着剤を配することができる。
【００３３】
このような構成の開口部装置において、ホールソー３０による穿孔を防止する作用は、先の実施の形態と基本的に同じである。補強材１４どうしの間隔、すなわち芯材５ｂの幅も、先の実施の形態と同様の考え方で設定される。図３（ｂ）のように、補強材１４の配置密度を部分的に変えることも、例えば、短い補強材１４ａを配置することによって達成される。この実施の形態では、補強材１４が芯材５ｂの板厚方向の全厚にわたって配置されているので、ホールソー３０の回転阻止作用が継続的に行われる。また、芯材５ｂが補強材１０を支持してこれを補強する点は、第１および第２の実施の形態と同様である。
【００３４】
以上、この発明を実施の形態によって説明したが、この発明はこれらの説明に限定されるものではなく、発明の趣旨に沿って種々の改変が可能である。例えば、補強材の形状は、上記においては、棒状、線状、帯状等の比較的簡単な構造としたが、これに限られず、より複雑な形状としてもよい。また、芯材と補強材は別体を組み合わせる構造としたが、芯材の成形時に内部に埋め込む構造でもよい。
【図面の簡単な説明】
【００３５】
【図１】この発明の第１の実施の形態に係る開口部装置のドアの構造を示す分解斜視図である。
【図２】図１の要部を拡大して示す図である。
【図３】（ａ）および（ｂ）は、それぞれ補強材の分布を模式的に示す図である。
【図４】この発明の第２の実施の形態に係る開口部装置のドアの構造を示す分解斜視図である。
【図５】図４の要部を拡大して示す図である。
【図６】この発明の第３の実施の形態に係る開口部装置のドアの構造を示す分解斜視図である。
【図７】図６の要部を拡大して示す図である。
【図８】この発明の第４の実施の形態に係る開口部装置のドアの構造を示す分解斜視図である。
【図９】図８の要部を拡大して示す図である。
【図１０】（ａ）および（ｂ）は、それぞれ従来のドアの補強構造を示す断面図である。
【図１１】（ａ）および（ｂ）は、それぞれ従来のドアの他の補強構造を示す断面図である。
【図１２】ドア破りに用いられる穿孔用工具を示す斜視図である。
【符号の説明】
【００３６】
１  ドア
２  表面材
３  ドア枠
５  芯材
５ａ  芯材ブロック
５ｂ  芯材
７  施錠部
１０  鉄線（補強材）
１２  棒鋼（補強材）
１４  帯状鋼板（補強材）
【図１】
2005146516.tif 000003
【図２】
2005146516.tif 000004
【図３】
2005146516.tif 000005
【図４】
2005146516.tif 000006
【図５】
2005146516.tif 000007
【図６】
2005146516.tif 000008
【図７】
2005146516.tif 000009
【図８】
2005146516.tif 000010
【図９】
2005146516.tif 000011
【図１０】
2005146516.tif 000012
【図１１】
2005146516.tif 000013
【図１２】
2005146516.tif 000014